(57)【要約】【課題】水流が強い現場であっても仮締切り構造体を安定的に水中に降下させることが可能な橋脚補修・補強工事に用いる仮締切り構造体の設置工法を提供すること。【解決手段】二本の橋脚１・２が隣接状態に設けられている現場において、工事対象橋脚１に仮締切り構造体３を構築し、工事対象橋脚１と仮締切り構造体３とに水中降下用ガイド４を設置すると共に、工事対象外橋脚２と仮締切り構造体３とに補助ガイド５を設置し、補助ガイド５と前記水中降下用ガイド４との双方の降下ガイド機能を利用して仮締切り構造体３を工事対象橋脚１に対し橋下の水中に降下させ、仮締切り構造体３底部と工事対象橋脚１との間の隙間を止水手段で止水し、止水完了後に仮締切り構造体３内に入り込んでいる水を排水する。【選択図】図１
2020051046.tif 000002
【特許請求の範囲】
【請求項１】
二本の橋脚が隣接状態に設けられている現場で施工するものであって、二本の橋脚のうちの補修・補強工事を行う一方の工事対象橋脚の非水没箇所で、この工事対象橋脚の外周を囲むように設置される仮締切り構造体を構築し、この工事対象橋脚と仮締切り構造体とに水中降下用ガイドを設置すると共に、工事対象橋脚に隣接する他方の工事対象外橋脚と前記仮締切り構造体とに補助ガイドを設置し、この補助ガイドは、前記工事対象外橋脚に設けられる降下用補助レールと、仮締切り構造体に工事対象外橋脚に向けて突出され前記降下用補助レールに降下移動可能に連結される連結アームとから構成され、この補助ガイドと前記水中降下用ガイドとの双方の降下ガイド機能を利用して前記仮締切り構造体を前記工事対象橋脚に対し橋下の水中に降下させ、この仮締切り構造体底部と前記工事対象橋脚との間の隙間を止水手段で止水し、止水完了後に仮締切り構造体内に入り込んでいる水を排水して、仮締切り構造体内を作業用ドライエリアとすることを特徴とする橋脚補修・補強工事に用いる仮締切り構造体の設置工法。
【請求項２】
水域の上流側と下流側に二本の橋脚が隣接状態に設けられている現場で施工するものであって、二本の橋脚のうちの補修・補強工事を行う下流側の前記工事対象橋脚と前記仮締切り構造体とに前記水中降下用ガイドを設置すると共に、工事対象橋脚と隣接する上流側の前記工事対象外橋脚と仮締切り構造体とに前記補助ガイドを設置することを特徴とする請求項１記載の橋脚補修・補強工事に用いる仮締切り構造体の設置工法。
【請求項３】
前記補助ガイドは、前記工事対象橋脚の対向側面に設けられる一対の前記降下用補助レールと、前記仮締切り構造体の二箇所から前記工事対象外橋脚に向けて突出され突出先端に前記降下用補助レールに滑走降下移動可能に連結される滑走部材を有する一対の前記連結アームとから構成されていることを特徴とする請求項１，２のいずれか１項に記載の橋脚補修・補強工事に用いる仮締切り構造体の設置工法。
【発明の詳細な説明】
【技術分野】
【０００１】
本発明は、河川や海などの水域に設けられている橋脚の補修・補強工事に用いる仮締切り構造体の設置工法に関するものである。
【背景技術】
【０００２】
河川や海などに架けられた橋は、その橋脚に経年劣化や地震などにより損傷を生じると、補修・補強工事を行う。
【０００３】
具体的には、橋脚の周囲に筒状の仮締切り構造体を構築して水中に降下させ、この仮締切り構造体内を水が入らないように止水して作業スペース（ドライエリア）を確保する（例えば、特許文献１参照）。
【０００４】
また、仮締切り構造体の水中への降下方法は、橋脚と仮締切り構造体とに降下用ガイドを設置し、この降下用ガイドを介して降下させている。この降下用ガイドとしては、上下方向に長さを有する降下用レールが前記橋脚外周に設置され、この降下用レールに、仮締切り構造体から突設したアームが降下移動可能に連結されることにより、仮締切り構造体が降下用レールに沿って降下移動するように構成されている。
【先行技術文献】
【特許文献】
【０００５】
【特許文献１】特許第６２７３３２８号公報
【発明の概要】
【発明が解決しようとする課題】
【０００６】
水流が強い現場の橋脚補修・補強工事では、大型の仮締切り構造体が水中に降下する際に多大な水流（流水圧）を受けるので、降下用ガイドが設置されていても安定的に降下させることが難しい場合がある。
【０００７】
本発明は、この点、水流が強い現場であっても仮締切り構造体を安定的に水中に降下させることが可能な橋脚補修・補強工事に用いる仮締切り構造体の設置工法を提供するものである。
【課題を解決するための手段】
【０００８】
添付図面を参照して本発明の要旨を説明する。
【０００９】
二本の橋脚１・２が隣接状態に設けられている現場で施工するものであって、二本の橋脚１・２のうちの補修・補強工事を行う一方の工事対象橋脚１の非水没箇所で、この工事対象橋脚１の外周を囲むように設置される仮締切り構造体３を構築し、この工事対象橋脚１と仮締切り構造体３とに水中降下用ガイド４を設置すると共に、工事対象橋脚１に隣接する他方の工事対象外橋脚２と前記仮締切り構造体３とに補助ガイド５を設置し、この補助ガイド５は、前記工事対象外橋脚２に設けられる降下用補助レール６と、仮締切り構造体３に工事対象外橋脚２に向けて突出され前記降下用補助レール６に降下移動可能に連結される連結アーム７とから構成され、この補助ガイド５と前記水中降下用ガイド４との双方の降下ガイド機能を利用して前記仮締切り構造体３を前記工事対象橋脚１に対し橋下の水中に降下させ、この仮締切り構造体３底部と前記工事対象橋脚１との間の隙間を止水手段で止水し、止水完了後に仮締切り構造体３内に入り込んでいる水を排水して、仮締切り構造体３内を作業用ドライエリアとすることを特徴とする橋脚補修・補強工事に用いる仮締切り構造体の設置工法に係るものである。
【００１０】
また、水域の上流側と下流側に二本の橋脚１・２が隣接状態に設けられている現場で施工するものであって、二本の橋脚１・２のうちの補修・補強工事を行う下流側の前記工事対象橋脚１と前記仮締切り構造体３とに前記水中降下用ガイド４を設置すると共に、工事対象橋脚１と隣接する上流側の前記工事対象外橋脚２と仮締切り構造体３とに前記補助ガイド５を設置することを特徴とする請求項１記載の橋脚補修・補強工事に用いる仮締切り構造体の設置工法に係るものである。
【００１１】
また、前記補助ガイド５は、前記工事対象橋脚１の対向側面に設けられる一対の前記降下用補助レール６と、前記仮締切り構造体３の二箇所から前記工事対象外橋脚２に向けて突出され突出先端に前記降下用補助レール６に滑走降下移動可能に連結される滑走部材８を有する一対の前記連結アーム７とから構成されていることを特徴とする請求項１，２のいずれか１項に記載の橋脚補修・補強工事に用いる仮締切り構造体の設置工法に係るものである。
【発明の効果】
【００１２】
本発明は上述のように構成したから、水中に降下させる際に水流（流水圧）を受ける仮締切り構造体を、工事対象橋脚と仮締切り構造体とに設置した通常の水中降下用ガイドと、これとは別に工事対象外橋脚と仮締切り構造体とに設置した補助ガイドとで支えながら降下移動させることができ、水流が強い現場であってもこの二つの降下ガイド機能を介して仮締切り構造体を安定的に水中へ降下させることができる極めて実用性に優れた橋脚補修・補強工事に用いる仮締切り構造体の設置工法となる。
【００１３】
また、請求項２記載の発明においては、下流側で水流を受ける仮締切り構造体を、下流側の工事対象橋脚と仮締切り構造体とに設置した通常の水中降下用ガイドと、これとは別に上流側の工事対象外橋脚と仮締切り構造体とに設置した補助ガイドとで効果的に支えながら水中へと安定的に降下させることができる極めて実用性に優れた橋脚補修・補強工事に用いる仮締切り構造体の設置工法となる。
【００１４】
また、請求項３記載の発明においては、前記作用・効果を確実に発揮する補助ガイドを簡易構成により容易に設計実現可能となる一層実用性に優れた仮締切り構造体の設置工法となる。
【図面の簡単な説明】
【００１５】
【図１】本実施例の仮締切り構造体を水中降下用ガイドと補助ガイドを介して水中に降下させた状態を示す概略説明側面図である。
【図２】図１の説明平面図である。
【図３】本実施例の補助ガイド（降下用補助レールと連結アームとの連結構造）を示す説明部分拡大平面図である。
【発明を実施するための形態】
【００１６】
好適と考える本発明の実施形態を、図面に基づいて本発明の作用を示して簡単に説明する。
【００１７】
隣接状態に設けられている二本の橋脚１・２のうちの補修・補強工事を行う一方の工事対象橋脚１の非水没箇所で、この工事対象橋脚１の外周を囲むように設置される仮締切り構造体３を構築する。
【００１８】
次いで、この工事対象橋脚１と仮締切り構造体３とに水中降下用ガイド４を設置すると共に、工事対象橋脚１に隣接する他方の工事対象外橋脚２と前記仮締切り構造体３とに、工事対象外橋脚２に設けられる降下用補助レール６と、仮締切り構造体３に工事対象外橋脚２に向けて突出され前記降下用補助レール６に降下移動可能に連結される連結アーム７とから成る補助ガイド５を設置し、この補助ガイド５と前記水中降下用ガイド４との双方の降下ガイド機能を利用して前記仮締切り構造体３を前記工事対象橋脚１に対し橋下の水中に降下させる。
【００１９】
即ち、工事対象橋脚１と仮締切り構造体３とに設置した通常の水中降下用ガイド４と、これとは別に工事対象外橋脚２と仮締切り構造体３とに設置した補助ガイド５との二つのガイドが仮締切り構造体３を支えながら降下させるので、この二つの降下ガイド機能によりたとえ水流が強い現場であっても仮締切り構造体３を安定的に水中へと降下させることができる。
【００２０】
次いで、この仮締切り構造体３底部と前記工事対象橋脚１との間の隙間を止水手段で止水し、止水完了後に仮締切り構造体３内に入り込んでいる水を排水して、仮締切り構造体３内を作業用ドライエリアとし、この作業用ドライエリア内で作業者が工事対象橋脚１の補修・補強工事作業を行うことができる。
【実施例】
【００２１】
本発明の具体的な実施例について図面に基づいて説明する。
【００２２】
本実施例は、河川（水域）に架けられた橋の橋脚に対して施工する橋脚の補修・補強工事に用いる仮締切り構造体の設置工法に適用したものである。尚、本発明は、河川以外の水域に架けられた橋の橋脚に対しても適用（施工）可能である。
【００２３】
図２中の矢印Ｙは、河川の水流の方向を表している。図面は、河川の上流側と下流側に二本の橋脚１・２が隣接状態に設けられていて、二本の橋脚１・２のうちの一方（下流側）の橋脚１が補修・補強工事を行う工事対象橋脚１であって、他方（上流側）の橋脚２は補修・補強工事を行わない工事対象外橋脚２である現場を示している。
【００２４】
また、図面は、水流に沿った長さを有する断面楕円形の橋脚１・２を図示しているが、この形の橋脚への設置工法に限定されるものではなく、現場の橋脚の形状に応じて仮締切り構造体３の形状等は適宜設計変更可能である。
【００２５】
以下、設置手順を説明する。
【００２６】
先ず、前記工事対象橋脚１の水面より上方位置（非水没箇所）に図示省略の作業用足場を設置する。尚、工事対象橋脚１の周囲の水面に浮体（浮桟橋）を設置して（浮かべて）この浮体を作業用足場としても良い。
【００２７】
次いで、この作業用足場を利用して、工事対象橋脚１の外周を囲むように設置され中心部に橋脚１を貫通配設可能な貫通部９が設けられている筒状の仮締切り構造体３を構築する。
【００２８】
具体的には、この仮締切り構造体３は、複数の分割壁材10が前記工事対象橋脚１の周方向及び高さ方向に組み合せ連結されて円筒状に構成されている。
【００２９】
次いで、例えば工事対象橋脚１の上方に平衡保持用天秤11を設置し、この平衡保持用天秤11の数箇所に設けられた降下索12を前記仮締切り構造体３に連結する。
【００３０】
具体的には、平衡保持用天秤11は、枠体で構成されていて、その数箇所が前記工事対象橋脚１の幅広上部の数箇所に固定された吊り索13に連結されることによって、中央の空間部に前記工事対象橋脚１を貫通配設しつつ工事対象橋脚１の上方に水平吊り下げ状態で設置されており、さらに、この平衡保持用天秤11の数箇所とこれに対応する前記橋脚１の数箇所の外周面との間に図示省略のパイプサポートを架設して突っ張ることにより、平衡保持用天秤11が工事対象橋脚１に対して揺動不能状態に設置されている。
【００３１】
また、各降下索12は、チェーンブロックなどの昇降装置（図示省略）によって昇降駆動可能に構成されており、昇降装置の制御により平衡保持用天秤11に対し仮締切り構造体３を降下移動し得るように設けられていると共に、この際、降下索12を介して連結されている平衡保持用天秤11が揺動不能な水平状態に固定されていることにより、仮締切り構造体３が傾きにくい略平衡状態に保たれて降下可能となるように構成されている。
【００３２】
次いで、この工事対象橋脚１と仮締切り構造体３とに水中降下用ガイド４を設置する。
【００３３】
具体的には、水中降下用ガイド４は、前記工事対象橋脚１対向側面に設置される上下方向に長さを有する降下用レール14と、前記仮締切り構造体３内の対向部に前記工事対象橋脚１に向けて内向きに突設され突出先端に前記降下用レール14に嵌合して滑走可能な滑走部材16を有する滑走支持アーム15とから構成されている。
【００３４】
更に詳しくは、降下用レール14は、断面溝形（コ字形）の金属製長尺材（溝型鋼材）で構成されており、その溝底部を前記工事対象橋脚１の外周面に沿わせて工事対象橋脚１に縦設状態に固定されている。
【００３５】
また、この降下用レール14は、工事対象橋脚１の水流方向と平行な平坦状対向側面に片側二箇所ずつ固定されていると共に、工事対象橋脚１の水流方向に対し直交配設する湾曲状対向側面にも片側一箇所ずつ固定されている。即ち、降下用レール14は、工事対象橋脚１外周面の合計六箇所に固定されている（図２参照）。
【００３６】
一方、滑走支持アーム15は、詳しく図示していないが断面Ｈ字形の金属製長尺材で構成され、この滑走支持アーム15の先端に滑走部材16として採用されたローラー16が付設されている。尚、滑走部材16は、本実施例のローラー16に限定されるものではなく、適宜設計変更可能である。
【００３７】
また、この滑走支持アーム15は、前記仮締切り構造体３の内周面の、前記降下用レール14に対応する六箇所の対向二方向から内向きに水平突設するように構築されて、この六箇所の滑走支持アーム15の先端の前記滑走部材16を、工事対象橋脚１に固定されている六箇所の前記降下用レール14に滑走可能に嵌合（連結）させている（図２参照）。
【００３８】
また、この六箇所の滑走支持アーム15は、詳しく図示していないが、仮締切り構造体３内で上下二段設けられている。
【００３９】
従って、六本（六箇所）の降下用レール14を合計十二個の滑走部材16が滑走することにより、工事対象橋脚１に対し仮締切り構造体３が姿勢を保持したままスムーズに降下移動可能となるように構成されている。
【００４０】
図中符号17は滑走支持アーム15の水平突設状態を補強すると共に、仮締切り構造体３の保形強度向上にも寄与する補強フレームである。
【００４１】
次いで、前記工事対象橋脚１に隣接する他方の工事対象外橋脚２と前記仮締切り構造体３とに補助ガイド５を設置する。
【００４２】
具体的には、補助ガイド５は、工事対象外橋脚２対向側面に設置される上下方向に長さを有する一対の降下用補助レール６と、前記仮締切り構造体３の二箇所から工事対象外橋脚２に向けて突出され突出先端が一対の前記降下用補助レール６に降下移動可能に連結される一対の連結アーム７とから構成されている。
【００４３】
更に詳しくは、一対の降下用補助レール６は、工事対象外橋脚２の水流方向と平行な平坦状対向側面に夫々縦設状態に固定されている。
【００４４】
また、この一対の降下用補助レール６は、図２，図３に示すように、夫々が、工事対象外橋脚２の上流側に固定される第一レール６Ａと、工事対象外橋脚２の下流側に固定される第二レール６Ｂとから構成され、この第一レール６Ａと第二レール６Ｂとが互いに平行関係となるように縦設固定されている。
【００４５】
第一レール６Ａは、金属製長尺平板材で構成されており、第一固定部材19を介して工事対象外橋脚２の平坦状対向側面の上流側に、この平坦状対向側面から外方へ離間状態で固定されていると共に、この第一レール６Ａの板面が工事対象外橋脚２の平坦状対向側面と平行となるようにして配設固定されている（図３参照）。
【００４６】
第二レール６Ｂは、断面溝形（コ字形）の金属製長尺材（溝型鋼材）で構成されており、第二固定部材20を介して工事対象外橋脚２の平坦状対向側面の下流側に、この平坦状対向側面から外方へ離間状態で固定されていると共に、この第二レール６Ｂの開放部が上流側（第一レール６Ａ側）を向くようにして配設固定されている（図３参照）。
【００４７】
一方、連結アーム７は、詳しく図示していないが断面Ｈ字形の金属製長尺材で構成されていると共に、一対のこの連結アーム７が仮締切り構造体３の工事対象外橋脚２側の側面部の二箇所から工事対象外橋脚２に向けて平行に突設されて、夫々の連結アーム７の先端が、工事対象外橋脚２の平坦状対向側面の夫々に対し間隔を置いた臨設状態に配設されている。図中符号21は一対の連結アーム７間に架設された補強桟である。
【００４８】
また、夫々の連結アーム７の先端に、前記降下用補助レール６を滑走する滑走部材８として採用されたローラー８が付設されている。尚、滑走部材８は、本実施例のローラー８に限定されるものではなく、適宜設計変更可能である。
【００４９】
更に詳しくは、夫々の連結アーム７の先端の対向内側にベース部18が設けられ、このベース部18の先端部（上流側端部）と基端部（下流側端部）とに前記ローラー８（８Ａ・８Ｂ）が付設されている。
【００５０】
また、先端部のローラー８Ａは、その回動軸の軸方向が水流方向と平行となるようにして設けられ、基端部のローラー８Ｂは、その回動軸の軸方向が水流方向と直交する方向となるようにして設けられている。
【００５１】
そして、先端部のローラー８Ａが、工事対象外橋脚２の平坦状対向側面の上流側に固定されている前記第一レール６Ａの内側板面に滑走可能に当接するように配設されていると共に、基端部のローラー８Ｂが、工事対象外橋脚２の平坦状対向側面の下流側に固定されている前記第二レール６Ｂの溝底部に滑走可能に当接するように配設されることにより、連結アーム７が前記降下用補助レール６に滑走降下移動可能に連結されている。
【００５２】
即ち、ローラー８Ａと第一レール６Ａとによって水流と直交する方向への仮締切り構造体３の揺動が防止されるように支持されると共に、ローラー８Ｂと第二レール６Ｂとによって水流を受ける仮締切り構造体３の荷重が支持されて、仮締切り構造体３の水流方向の揺動が防止されつつ仮締切り構造体３を安定的に降下移動可能となる前記補助ガイド５が採用されている。
【００５３】
また、この一対の連結アーム７は、図１に示すように、仮締切り構造体３から上下二段突設されている。
【００５４】
従って、降下用補助レール６を合計八個の滑走部材８が滑走することにより、工事対象外橋脚２に対し連結アーム７を介して仮締切り構造体３が姿勢を保持したままスムーズに降下移動可能となり、よって、工事対象橋脚１と仮締切り構造体３とに設置した通常の前記水中降下用ガイド４と、これとは別に工事対象外橋脚２と仮締切り構造体３とに設置した補助ガイド５との二つのガイドが仮締切り構造体３を支えながら降下させるので、この二つの降下ガイド機能によりたとえ水流が強い現場であっても仮締切り構造体３を安定的に水中へと降下させることができるように構成されている。
【００５５】
図中符号22は、第一レール６Ａと第二レール６Ｂの固定間隔に応じてローラー８Ａ・８Ｂ間の位置を調整するための位置調整機構部である。
【００５６】
尚、補助ガイド５を設置してから、前記水中降下用ガイド４を設置するようにしても良い。
【００５７】
次いで、この仮締切り構造体３底部と前記工事対象橋脚１との間の隙間を図示省略の適宜な止水手段で止水し、止水完了後に仮締切り構造体３内に入り込んでいる水を排水して、仮締切り構造体３内を作業用ドライエリアとし、施工完了となる。
【００５８】
尚、本発明は、本実施例に限られるものではなく、各構成要件の具体的構成は適宜設計し得るものである。
【符号の説明】
【００５９】
１  工事対象橋脚
２  工事対象外橋脚
３  仮締切り構造体
４  水中降下用ガイド
５  補助ガイド
６  降下用補助レール
７  連結アーム
８  滑走部材
【図１】
2020051046.tif 000003
【図２】
2020051046.tif 000004
【図３】
2020051046.tif 000005